(57)【要約】【課題】地熱を効率よく熱交換して効率的に利用できる。【解決手段】地熱交換装置１は、内部に熱交換用の熱媒を流通させる３本の配管３が水平方向に平行に配設された主体セグメント１４と、３本の配管３が水平方向に平行に配設された接続セグメント１５と、主体セグメント１４のテーパ状端面の間に嵌合された連結セグメント１６とを連結してセグメントリング１Ａを形成した。１本に接続された各配管３内を地熱と熱交換する熱媒が流通する。各配管３の端部同士をジョイントを介して互いに連結した。セグメントリング１Ａを複数段上下方向に積層して各配管３を互いに連結して連続させる。地熱交換装置１は地すべり抑止杭における地中熱の高い地層に囲まれた領域に設置した。地熱交換装置１内の配管３の取り出し口３ａ、戻し口３ｂを地熱交換器の第一凝結器に接続した熱源側循環路内に熱媒を循環させて第二凝結器と熱交換する。【選択図】図４
2020180715.tif 000002
【特許請求の範囲】
【請求項１】
筐体と、
前記筐体の内部に配設されていて熱交換用の熱媒を流通させる配管と、
前記筐体に設けられていて他の前記筐体の前記配管と連結可能な前記配管の連結部と、
を備えたことを特徴とする地熱交換用セグメント。
【請求項２】
内部に熱交換用の熱媒を流通させる配管が水平方向に配設されていて一端部に前記熱媒の取り出し口を備えた複数の第一セグメントと、
前記第一セグメントの間に連結された連結セグメントと、を備え、
前記第一セグメント及び前記連結セグメントがリング状に配設され、周囲の地熱と熱交換された前記第一セグメント内の配管の熱媒を前記取り出し口から取り出しできることを特徴とする地熱交換装置。
【請求項３】
前記第一セグメントの配管に連結されていて内部に熱交換用の熱媒を流通させ且つ両端が開口する前記配管が水平方向に配設された第二セグメントを備えた請求項２に記載された地熱交換装置。
【請求項４】
前記第一セグメント同士、または前記第二セグメント同士及び前記第一セグメント及び第二セグメント内に設けられた前記配管同士が熱媒を流通可能なジョイントによって連結されている請求項３に記載された地熱交換装置。
【請求項５】
前記連結セグメントは、前記第一セグメントの間に連結されている請求項２から４のいずれか１項に記載された地熱交換装置。
【請求項６】
地中熱の高い地層の領域で、内部に熱交換用の熱媒を流通させる配管が水平方向に配設されていて前記熱媒の取り出し口を備えた第一セグメントと、内部に熱交換用の熱媒を流通させる前記配管が水平方向に配設された第二セグメントとの間で、一方のセグメントの配管に連結されたジョイントに他方のセグメントを相対移動させて他方の配管と連結させる工程と、
前記第一セグメントの間に形成された前記他方のセグメントを相対移動させるための空間内に、連結セグメントを連結させることで前記第一セグメントと前記第二セグメントと前記連結セグメントとをリング状に連結する工程と、
を有することを特徴とする地熱交換装置の組み立て方法。
【発明の詳細な説明】
【技術分野】
【０００１】
本発明は、例えば地中熱の高い地層に埋設して、熱交換器としての配管内を流通する熱媒を高温の地層と熱交換することで採熱して地熱を利用する地熱交換用セグメントと地熱交換装置及びその組み立て方法に関する。
【背景技術】
【０００２】
従来、山間地に構築される送電用鉄塔や橋梁の基礎杭（深礎杭）を利用して対地熱交換器を地中に埋設し、その対地熱交換器内を通過する熱媒を高温の周囲地層と熱交換させることで周囲の地層から採熱する熱交換システムが知られている。採熱した熱エネルギーは、蒸気や熱水等の熱媒を用いて地上に取り出し、橋梁路面や道路路面の融雪設備、農業用ハウスの暖房設備、建築物の暖房設備や、地熱発電等に利用されている。
例えば特許文献１に記載された対地熱交換装置では、地すべり抑止杭を施設した地すべり危険地に、熱媒を通過させるＵ字管状の対地熱交換器を地すべり抑止杭内に配設している。そして、高温の周囲地層と対地熱交換器内の熱媒とを熱交換して熱媒を地上に取り出して融雪設備等に利用している。
【０００３】
また、特許文献２に記載された地熱発電システムでは、地中に埋設した外管を通して地熱の層から採熱して地熱発電等に再利用する地熱回収装置が提案されている。この地熱回収装置では、地中に埋設された外管内に３本以上のＵ字状内管が互いに交差させて配設されている。Ｕ字状内管内の蒸気や熱水等の熱媒を地中の地熱と熱交換して地上に搬送し、地熱発電装置に用いている。
３本のＵ字状内管は外管内で重力方向と周方向に位置を変えて重ねて配管させている。また、これら地すべり抑止杭は内径１ｍ〜１．５ｍ程度の小径であるため、Ｕ字状内管は３本程度しか配設できなかった。
【先行技術文献】
【特許文献】
【０００４】
【特許文献１】特開２００２−２３５９５７号公報
【特許文献２】特開２０１７−２１０８８８号公報
【発明の概要】
【発明が解決しようとする課題】
【０００５】
しかしながら、特許文献１及び２に記載された対地熱交換装置や地熱回収装置等では、地中熱の高い地層が地下深部に存在していると、地上から地下深部にまで配設するＵ字状管が長くなる。その場合、地下深部で熱交換した熱媒がＵ字状管内を地上まで上昇する間に温度低下を生じるため熱効率が悪かった。しかも、Ｕ字状管は地中熱の高い地層の領域で略Ｕ字状に湾曲している管体部分だけで地熱との間で熱交換するため、熱交換できる領域の面積が小さく、この点でも熱効率が悪いという問題がある。
【０００６】
本発明は、このような課題に鑑みてなされたものであって、地熱を効率よく熱交換して効率的に利用できるようにした地熱交換用セグメントと、地熱交換装置及びその組み立て方法を提供することを目的とする。
【課題を解決するための手段】
【０００７】
本発明による地熱交換用セグメントは、筐体と、筐体の内部に配設されていて熱交換用の熱媒を流通させる配管と、筐体に設けられていて他の筐体の配管と連結可能な配管の連結部と、を備えたことを特徴とする。
本発明によれば、地熱交換用セグメントの筐体内に設けた配管を配設したために地熱の熱変換効率が良い。しかも、配管は地熱交換用セグメントの筐体内に配設されているために取付けと取り外しが容易で組立コストが低廉になる。
【０００８】
本発明による地熱交換装置は、内部に熱交換用の熱媒を流通させる配管が水平方向に配設されていて一端部に熱媒の取り出し口を備えた複数の第一セグメントと、第一セグメントの間に連結された連結セグメントとを備え、第一セグメント及び連結セグメントがリング状に配設され、周囲の地熱と熱交換された第一セグメント内の配管の熱媒を取り出し口から取り出しできることを特徴とする。
本発明によれば、地熱交換装置は第一セグメント及び連結セグメントがリング状に配設されているため、地熱交換装置の周囲に設けられた地中熱の高い地層との間で配管内の熱媒と地熱とを効率よく熱交換できる。
【０００９】
また、第一セグメントの配管に連結されていて内部に熱交換用の熱媒を流通させ且つ両端が開口する配管が水平方向に配設された第二セグメントを備えていることが好ましい。
地熱交換装置は第一セグメントの配管と第二セグメントの配管が略リング状に配設されているため、配管内の熱媒とその周囲の高温の地層との間で効率よく熱交換できる。
【００１０】
また、第一セグメント同士、または第二セグメント同士及び第一セグメント及び第二セグメント内に設けられた配管同士が熱媒を流通可能なジョイントによって連結されていてもよい。
第一セグメント同士、または第二セグメント同士及び第一セグメント及び第二セグメント内の配管をジョイントによって容易に連結することができて熱媒の流通性がよい。
【００１１】
また、連結セグメントは、第一セグメントの間に連結されていることが好ましい。
第一セグメントは配管の取り出し口を有しているため、配管を設けない連結セグメントを最後に容易に取り付けることができてリング状に形成できる。
【００１２】
本発明による地熱交換装置の組み立て方法は、地中熱の高い地層の領域で、内部に熱交換用の熱媒を流通させる配管が水平方向に配設されていて熱媒の取り出し口を備えた第一セグメントと、内部に熱交換用の熱媒を流通させる配管が水平方向に配設された第二セグメントとの間で、一方のセグメントの配管に連結されたジョイントに他方のセグメントを相対移動させて他方の配管と連結させる工程と、第一セグメントの間に形成された他方のセグメントを相対移動させるための空間内に、連結セグメントを連結させることで第一セグメントと前記第二セグメントと前記連結セグメントとをリング状に連結する工程と、を有することを特徴とする。
本発明によれば、第一セグメントと第二セグメントをジョイントを介してスライドさせて相対移動することで配管同士を連結できるため、最後に残った相対移動のための空間内に連結セグメントを嵌合させることで、各セグメントを簡単にリング状に連結できる。
【発明の効果】
【００１３】
本発明による地熱交換セグメントによれば、熱媒を収容した配管を筐体の内部に配設させたために地中熱の高い地層の地熱と配管内の熱媒との間の熱交換を効率的に行うことができると共に、セグメントの着脱によって配管を着脱できるため配管の取り扱いが容易である。
本発明による地熱交換装置及び地熱交換装置の組み立て方法は、地中熱の高い地層の領域にセグメントをリング状に連結した地熱交換装置を設置することで、水平方向に配設された配管内の熱媒と地熱との間で効率よく地熱交換できる。
【図面の簡単な説明】
【００１４】
【図１】本発明の実施形態による地熱交換装置を地すべり抑止杭における地中熱の高い地層に設けた要部構成を示す図である。
【図２】図１に示す地熱交換装置の配管と地熱交換器とを示す模式図である。
【図３】地熱交換装置を示す地熱交換用のセグメントリングを示す平面図である。
【図４】図３に示すセグメントリングの展開図である。
【図５】（ａ）は第一セグメントと第二セグメントの配管同士のジョイントを介した連結工程を示す図、（ｂ）はジョイントの側面図である。
【発明を実施するための形態】
【００１５】
以下、本発明の実施形態による地熱交換装置１について図１〜図５を参照して説明する。
図１に示す地熱交換装置１において、例えば地すべり危険地に直径４〜６ｍ程度の円筒杭としての地すべり抑止杭２を打設している。この地すべり抑止杭２は、予めボーリング等で地中熱の高い地層Ｔを検知して確認しておくものとする。地すべり抑止杭２の施工に際して地上から深礎工法によって竪穴を掘削する。そして、土留め用のライナーとして円弧版状の鋼製ライナー２ａを竪穴の内面周囲に設置して円筒状に形成し、竪穴の上側から下側に向けて順次鋼製ライナー２ａを施工していくことで地すべり抑止杭２を構築する。
この地すべり抑止杭２は、地上から地すべり面よりも下方の不動地層にまで到達させている。これらの地すべり抑止杭２は所定間隔を開けて縦横方向に列状に多数施工していてもよい。
【００１６】
地すべり抑止杭２は、地中における地中熱の高い地層Ｔに対向する領域に鋼製ライナー２ａに代えて地熱交換装置１が設置されている。図２は地熱交換装置１の模式図であり、地すべり抑止杭２における地中熱の高い地層Ｔに囲まれた領域に水平方向に円弧状に延びる配管３が両端部で略Ｕ字状に湾曲して上下方向に複数段に亘って蛇行して配列されている。配管３は熱交換器を構成する。配管３内には熱交換用の熱媒が流通している。地熱採取用の熱媒として例えば蒸気、熱水、或いはブライン等を用いることができる。配管３内の熱媒は例えばブラインであり、高温の地熱と熱交換される。
【００１７】
配管３は例えば鋼管パイプであり、1本の連続する管体として蛇行しながら上下方向に複数段配列されている。配管３の下端部の取り出し口３ａには取り出し流路１０ａが接続され、配管３の上方に設けた地熱交換器５に延びている。地熱交換器５では、第一凝縮器６と第二凝縮器７とが対向して配設されている。配管３の下端部の取り出し流路１０ａには逆止弁８とポンプＰとが順次設置されている。取り出し流路１０ａでは、配管３内で地熱と熱交換された高温の熱媒が第一凝縮器６の一端に送られる。
配管３の上端部の戻し口３ｂには戻し流路１０ｂが接続され、戻し流路１０ｂは第一凝縮器６の他端に連結されている。戻し流路１０ｂの管路には第一凝縮器６で熱交換されて冷却された熱媒を一時的に貯留するためのタンク９が設置されている。取り出し流路１０ａと戻し流路１０ｂとで熱源側循環路１０を構成する。
【００１８】
第一凝縮器６内に配設された配管３内を流れる高温の熱媒は、第一凝縮器６に対向する第二凝縮器７内に設置された出力側循環路１２との間で熱交換される。出力側循環路１２内の熱媒は例えば熱水であり、高温に変換されて例えば地すべり抑止杭２内を通って地上に設けた不図示の熱利用装置に供給される。
熱利用装置は、例えば橋梁路面や道路の路面等の融雪設備、農業用ハウスの暖房設備、建築物の暖房設備等として利用される。或いは、地熱発電装置に利用されてもよい。地熱交換装置１は用途によってどの温度帯の地熱を使用するか変わるものであり、地中熱の高い地層Ｔに対する設置領域を調整する。
【００１９】
次に、地熱交換装置１の具体例について図３〜図５により説明する。
図３に示す地熱交換装置１は配管３を水平方向に配列した主体セグメント１４及び接続セグメント１５と配管３を含まない連結セグメント１６とをリング状に配列して締結ボルト等の継手で連結したものである。これら主体セグメント１４、接続セグメント１５、連結セグメント１６は例えば鋼製セグメント製の筐体４を有しており、略直方体形状の筐体４を略円弧版状に湾曲して形成されている。しかも、主体セグメント１４及び接続セグメント１５は各筐体４内に１または複数本の配管３が水平方向に配列されている。
地熱交換装置１の主体セグメント１４、接続セグメント１５、連結セグメント１６は地すべり抑止杭２の鋼製ライナー２ａに代えて、地中熱の高い地層Ｔに直接接触して配設されているため地熱が良く伝達される。
【００２０】
これら主体セグメント１４、接続セグメント１５、連結セグメント１６からなる地熱交換装置１は、シールドトンネルで用いるセグメントを周方向に連結したセグメントリングと同様な構成を有している。図３に示すように、主体セグメント１４、接続セグメント１５、連結セグメント１６からなるセグメントリング１Ａの地熱交換装置１は好ましくは平面状に設置され、上下方向に複数段のセグメントリング１Ａを積層している。しかも、主体セグメント１４と接続セグメント１５は略同一長さに形成され、連結セグメント１６は他のセグメントと比較して小幅に形成されたキーセグメントに相当する。
図３及び図４において、主体セグメント１４は略直方体を湾曲した形状であり、対向する一対の円弧板状側面からなる鋼板１４ａと鋼板１４ａに略直交する周方向の一方の端面１４ｂと他方のテーパ状端面１４ｃとを備えている。接続セグメント１５は対向する一対の円弧板状側面からなる鋼板１５ａと鋼板１５ａに直交する周方向の両側の端面１５ｂとを備えている。小幅の連結セグメント１６は周方向の両側の端面がテーパ状をなすテーパ面１６ａ，１６ａを有している。
【００２１】
次に図４により主体セグメント１４について説明する。図４に示す地熱交換装置１はセグメントリング１Ａの展開図を側面視している。主体セグメント１４は、配管３について上向きの戻し口３ｂを設けた第1の主体セグメント１４Ａと、下向きの取り出し口３ａを設けた第２の主体セグメント１４Ｂとを備えている。
第１の主体セグメント１４Ａは略円弧版状の鋼製セグメント内部に水平方向に延びる複数列、例えば３列の配管３が上下方向に略平行に配列されている。第１の主体セグメント１４Ａは３列の配管３のうち上側の配管３の一端開口が戻し口３ｂを形成し、他端が端面１４ｂに開口している。下側の２列の配管３は一端が略Ｕ字状の湾曲部３ｃによって互いに連結され、他端が端面１４ｂに開口している。
【００２２】
第２の主体セグメント１４Ｂは略円弧版状の鋼製セグメント内部に水平方向に延びる複数列、例えば３列の配管３が上下方向に略平行に配列されている。第２の主体セグメント１４Ｂは３列の配管３のうち上側の２列の配管３は一端が略Ｕ字状の湾曲部３ｃによって互いに連結され、他端が端面１４ｂに開口している。下側の配管３は一端が下方に屈曲して取り出し口３ａを形成し、他端が端面１４ｂに開口している。
【００２３】
次に接続セグメント１５は同一構成のものが例えば２つ配設されている。各接続セグメント１５は水平方向に延びる配管３が上下方向に略平行に３本配列されている。接続セグメント１５の両端では３本の配管３が端面１５ｂにそれぞれ開口している。各配管３は一端が第１の主体セグメント１４Ａまたは第２の主体セグメント１４Ｂの各配管３に接続され、他端は他の接続セグメント１５の各配管３とそれぞれ連結されている。
【００２４】
図５（ａ）に示すように、第１の主体セグメント１４Ａ、第２の主体セグメント１４Ｂ内の各配管３の端部は接続セグメント１５内の各配管３とジョイント１８を介して連結されている。同様に各接続セグメント１５の配管３同士もジョイント１８を介して連結されている。図５（ｂ）はジョイント１８を示すものであり、内部を熱媒が流通する略円筒状のジョイント本体の一端側の外周面には雄ねじ１８ａが形成され、例えば主体セグメント１４Ａ、１４Ｂまたは接続セグメント１５の各配管３の端部に形成された雌ねじ部３ｄに螺合可能である。
ジョイント１８の長手方向中央部にはリング状のつば部１８ｂが外側に突出して一体形成され、ジョイント１８を配管３の雌ねじ部３ｄに捻じ込んだ際のストッパーになる。つば部１８ｂに対して雄ねじ部１８ａとは反対側の円筒部１８ｄにシール部材として止水性を有するＯリング１８ｃが全周に巻回されており、ジョイント１８の外周面にはＯリング１８ｃを着座させるためのリング状の凹部が形成されている。
【００２５】
そのため、例えば接続セグメント１５の配管３に主体セグメント１４Ａ、１４Ｂの配管３を連結するには、先ず一方の配管３、例えば主体セグメント１４Ａの配管３の雌ねじ部３ｄにジョイント１８の雄ねじ部１８ａをねじ込み、つば部１８ｂが配管３の端部に当接した位置に保持する。そして、ジョイント１８のつば部１８ｂより左側のＯリング１８ｃを有する円筒部１８ｄを接続セグメント１５の配管３内に押し込む。この場合もジョイント１８はつば部１８ｂが接続セグメント１５の配管３の端部に当接するまで押し込まれる。しかも、ジョイント１８のＯリング１８ｃが配管３内で圧縮されることで水密または気密にシールできる。
【００２６】
そのため、主体セグメント１４Ａ等の配管３と接続セグメント１５等の配管３とを連結してシールするために、一方のセグメントをスライド移動させるためのジョイント１８のつば部１８ｂと円筒部１８ｄとの間の長さＬに相当する空間が少なくとも必要である。図５に示す例では、３本の配管３に螺合した各ジョイント１８に対して円筒部１８ｄの長さＬだけ相対的にスライド移動して接続セグメント１５等の３本の配管３の端部に同時に各ジョイント１８の円筒部１８ｄを嵌合することになる。
また、２つの接続セグメント１５の配管３同士を連結する場合にも、同様に一方の接続セグメント１５の配管３の雌ねじ部３ｄにジョイント１８の雄ねじ部１８ａを予めねじ込んでおく。そして、一方の接続セグメント１５のジョイント１８の円筒部１８ｄを長さＬ以上の隙間を介して他方の接続セグメント１５の各配管３の端部に対して相対移動させて嵌合させ、互いの配管３同士を連結させる。
【００２７】
そして、各２つの主体セグメント１４Ａ、１４Ｂと接続セグメント１５を略リング状に連結した状態で、主体セグメント１４Ａ、１４Ｂの間に長さＬ以上の隙間が形成されている。この隙間に小幅の連結セグメント１６をテーパ面１６ａ，１６ａで嵌合させてボルトで結合する。連結セグメント１６の両端にテーパ面１６ａ，１６ａを形成したために、これに対向する主体セグメント１４Ａ、１４Ｂの端部もテーパ状面１４ｃが形成されている。
これにより、主体セグメント１４Ａ、１４Ｂのテーパ状端面１４ｃ間に連結セグメント１６を嵌合してボルトで互いに連結することができる。これにより、セグメントリング１Ａが構築される。
【００２８】
また、図３及び図４に示す地熱交換装置１において、各２つの主体セグメント１４Ａ、１４Ｂ及び接続セグメント１５と連結セグメント１６を連結してなるセグメントリング１Ａを上下方向に複数段配列する。そして、各セグメントリング１Ａの上向きの戻し口３ｂと下向きの取り出し口３ａを互いに連結することで配管３が連続する。最も上側のセグメントリング１Ａの配管３の戻し口３ｂは戻し流路１０ｂに連結され、最も下側の地熱交換装置１の配管３の取り出し口３ａは取り出し流路１０ａに連結されている。上下方向に配列するセグメントリング１Ａは地中熱の高い地層Ｔの厚みに応じて、或いは取り出される必要な熱量に応じて適宜数を段状に接続できる。
【００２９】
なお、地すべり抑止杭２における地熱交換装置１の空間にセメントミルク等の熱伝導性の高い媒体を埋め込むことで、熱伝導性を向上させることができる。また、配管３を主体セグメント１４Ａ、１４Ｂ及び接続セグメント１５の外周側の面に当接することで、地熱交換装置１の補強効果と熱伝達効果が高まる。このような地熱交換装置１の配管３の構成を模式的に示すと図１及び図２のようになる。
なお、地すべり抑止杭２、地熱交換装置１、地熱交換器５、熱源側循環路１０及び出力側循環路１２とで地熱交換設備を構成する。
【００３０】
本実施形態による地熱交換装置１は上述した構成を有しており、次にその施工方法について説明する。
先ず、例えば地すべり地に地すべり抑止杭２を打設する。地すべり地の抑止杭として、深礎工法によって竪穴を掘削する。土砂の部分はバックホウに取り付けたクラムシェルによって掘削し、岩盤部はブレーカを用いて人力によって掘削する。地すべり抑止杭２の土留め用ライナーとして鋼製ライナー２ａを竪穴の内壁に組み立てる。地すべり抑止杭２の深さ方向における地中熱の高い地層Ｔに対向する領域には、鋼製ライナー３に代えて地熱交換装置１を設置する。
【００３１】
地熱交換装置１の施工に際して、３本の配管３を内蔵した接続セグメント１５を地すべり抑止杭２の鋼製ライナー２ａの下側に固定し、一方の配管３の端部にジョイント１８の雄ねじ部１８ａを捻じ込み、他方の接続セグメント１５に相対的にスライドさせてジョイント１８の円筒部１８ｄを配管３内に押し込んで連結させる。その後、接続セグメント１５同士をボルトで連結する。
次に、主体セグメント１４Ａ、１４Ｂの各配管３にジョイント１８をねじ込み、接続セグメント１５に主体セグメント１４Ａ、１４Ｂを相対的にスライド移動させて互いに連結させる。接続セグメント１５と主体セグメント１４Ａ、１４Ｂはボルト等の継手で互いに固定させる。最後に、主体セグメント１４Ａ、１４Ｂ同士の間のテーパ状端面１４ｃ、１４ｃにはジョイント１８をスライド結合するための空間が残されており、この空間に連結セグメント１６を嵌め込んでボルト等の継手で互いに固定する。これによって、１組のセグメントリング１Ａからなる地熱交換装置１を組み立てできる。
【００３２】
地熱交換装置１は、必要に応じて複数段、例えば４段のセグメントリング１Ａを上下方向に積層させ、隣り合うセグメントリング１Ａ同士を配管３の取り出し口３ａと戻し口３ｂで連結して全体に連続する１本の配管３を構築する。上下両端の取り出し口３ａと戻し口３ｂを取り出し流路１０ａと戻し流路１０ｂにそれぞれ連結することで熱源側循環路１０を設置し、第一凝縮器６に接続する。更に、第二凝縮器７、出力側循環路１２を接続する。
熱源側循環路１０には熱媒として例えばブラインを循環させて地中熱の高い地層Ｔから採熱する。出力側循環路１２には熱媒として例えば熱水または蒸気等を循環させる。第一凝縮器６及び第二凝縮器７との間で温熱を伝達させて、出力側循環路１２を通って循環する熱媒によって、路面の融雪や農業用ハウスの暖房などに使用することができる。
【００３３】
上述したように本実施形態による地熱交換装置１は、地すべり抑止杭２における地中熱の高い地層Ｔに接する領域に、配管３が主体セグメント１４及び接続セグメント１５の各筐体４内で円周形状の内面に沿って水平方向に各３段配設されているため配管３の面積が大きく、熱伝達効率が高い。
しかも、地熱交換装置１の主体セグメント１４、接続セグメント１５、連結セグメント１６が地中熱の高い地層Ｔに接して配設されているため、主体セグメント１４及び接続セグメント１５内に配設された配管３に地熱が良く伝達され、熱伝達効率が高い。
更に、配管３は互いに着脱可能な主体セグメント１４及び接続セグメント１５内に配設されてユニット化されており、連結セグメント１６と共に組み立て作業が容易である。
【００３４】
以上、本発明の実施形態による地熱交換装置１について詳細に説明したが、本発明は上述の実施形態に限定されることはなく、本発明の趣旨を逸脱しない範囲で適宜の変更や置換等が可能であり、これらはいずれも本発明に含まれる。以下に、本発明の変形例等について説明するが、上述の実施形態と同一または同様な部分、部材には同一の符号を用いて説明を省略する。
【００３５】
なお、上述した実施形態では、地熱交換装置１の主体セグメント１４及び接続セグメント１５に３本の配管３を水平方向に配列して接続したが、３本に限定されるものではなく、４本以上配列してもよいし、１本または２本の配管３を配列してもよい。また、主体セグメント１４及び接続セグメント１５において、配管３を水平方向に配列させたが、斜め方向に配列してもよく、本明細書では、このような構成も水平方向に含めるものとする。
また、実施形態では、地すべり抑止杭２の一部壁面に地熱交換装置１を設置したが、地すべり抑止杭２以外の地中熱の高い地層にも設置できることはいうまでもない。
【００３６】
実施形態による地熱交換装置１は主体セグメント１４及び接続セグメント１５及び連結セグメント１６によってセグメントリング１Ａを構成したが、接続セグメント１５を省略し、水平方向に延長させた主体セグメント１４と連結セグメント１６とでセグメントリング１Ａを構成してもよい。この場合、複数の主体セグメント１４間で配管３を１本に接続するものとする。
本発明において、主体セグメント１４は第一セグメント、接続セグメント１５は第二セグメントに含まれる。
【００３７】
主体セグメント１４、接続セグメント１５、連結セグメント１６は例えば鋼製セグメントに代えて合成セグメントやコンクリートセグメント等で構成されていてもよい。
なお、上述した実施形態では、地熱交換装置１の配管３の取り出し口３ａ、戻し口(取り出し口)３ｂに接続される取り出し流路１０ａ、戻し流路１０ｂを備えた地熱交換器５は地すべり抑止杭２内に設置したが、これに代えて取り出し流路１０ａ、戻し流路１０ｂを地すべり抑止杭２の外部の地上に取り出して地熱交換器５に連結してもよい。また、本発明による地熱交換装置は地すべり危険地以外の場所や地すべり抑止杭２以外の立て坑等にも設置できることはいうまでもない。
【符号の説明】
【００３８】
１  地熱交換装置
２  地すべり抑止杭
３  配管
３ａ、３ｂ  取り出し口
４  筐体
５  地熱交換器
６  第一凝縮器
７  第二凝縮器
１０  熱源側循環路
１０ａ  取り出し流路
１０ｂ  戻し流路
１２  出力側循環路
１４  主体セグメント
１５  接続セグメント
１６  連結セグメント
１８  ジョイント
１８ａ  雄ねじ部
１８ｂ  つば部
１８ｃ  Ｏリング
【図１】
2020180715.tif 000003
【図２】
2020180715.tif 000004
【図３】
2020180715.tif 000005
【図４】
2020180715.tif 000006
【図５】
2020180715.tif 000007